(57)【要約】【課題】ロック状態を容易に視認することができるとともに、ロック状態の写真を鮮明に撮影することができるロック状態確認装置を提供する。【解決手段】電気転てつ機の鎖錠かんとロックピースとの嵌合状態を確認するためのロック状態確認装置５０において、鎖錠かんとロックピースとの嵌合箇所に対向して配され、電気転てつ機に取付可能に構成された外箱部５１と、外箱部の内部に配され、嵌合箇所を映し出すための鏡面部５２と、外箱部の上面５３に形成され、鏡面部を介して嵌合箇所を視認可能に構成された確認窓部５４と、外箱部の内部に配され、鏡面部を照射可能に構成された照明装置と、を備えた。【選択図】図９
2009298302.tif 000002
【特許請求の範囲】
【請求項１】
鎖錠かんと、該鎖錠かんと嵌合自在に配置されたロックピースと、を備えた電気転てつ機のロック状態確認装置において、
前記鎖錠かんと前記ロックピースとの嵌合箇所に対向して配され、前記電気転てつ機に取付可能に構成された外箱部と、
該外箱部の内部に配され、前記嵌合箇所を映し出すための鏡面部と、
前記外箱部の上面に形成され、前記鏡面部を介して前記嵌合箇所を視認可能に構成された確認窓部と、
前記外箱部の内部に配され、前記鏡面部を照射可能に構成された照明装置と、を備えたことを特徴とするロック状態確認装置。
【請求項２】
前記照明装置が点灯したときに音が鳴る音源部を備えたことを特徴とする請求項１に記載のロック状態確認装置。
【発明の詳細な説明】
【技術分野】
【０００１】
本発明は、ロック状態確認装置に関するものである。
【背景技術】
【０００２】
従来から、鉄道線路の分岐箇所には電気転てつ機が設置されている。一般的に、電気転てつ機には、トングレールに繋がっている鎖錠かんと、鎖錠かんと嵌合（ロック）して鎖錠かん（トングレール）の位置を固定するロックピースと、が収容されている。
【０００３】
ここで、列車の走行安全性を確保するために、鎖錠かんとロックピースとのロック状態が適正であるかを定期的に検査している。具体的には、鎖錠かんとロックピースとをロックさせた際に、鎖錠かんとロックピースとの隙間が適正距離に保たれているか否かを検査している。ところで、この検査を実施する際には、ロック位置が線路が敷設されている高さと略同一の高さであるため、検査者が腰をかがめて電気転てつ機内のロック箇所を覗き込むようにして検査をする必要があり、検査に手間がかかっていた。
【０００４】
そこで、このような問題を解消するために、転てつ鎖錠器本体に設けられた検査窓に脱着自在に取り付けられるボックス本体と、該ボックス本体の上面側に起立角度が調節自在に取り付けられたミラーと、ボックス本体の前面側に取り付けられた照明器具とで構成されたロック調整用ミラーが提案されている（例えば、特許文献１参照）。
【特許文献１】特開平９−１６４９５１号公報
【発明の開示】
【発明が解決しようとする課題】
【０００５】
ところで、上述の特許文献１のロック調整用ミラーは、転てつ鎖錠器本体内のロック状態を確認するためにミラーを適正角度に調節する必要があり、手間がかかるという問題があった。また、ミラーが露出しているため、ミラーが割れてロック状態を確認できなくなってしまうという問題があった。さらに、このロック調整用ミラーの構成では、夜間にロック状態の写真を鮮明に撮影することが困難であるという問題があった。
【０００６】
そこで、本発明は、上述の事情を鑑みてなされたものであり、ロック状態を容易に視認することができるとともに、ロック状態の写真を鮮明に撮影することができるロック状態確認装置を提供するものである。
【課題を解決するための手段】
【０００７】
上記の課題を解決するために、請求項１に記載した発明は、鎖錠かんと、該鎖錠かんと嵌合自在に配置されたロックピースと、を備えた電気転てつ機のロック状態確認装置において、前記鎖錠かんと前記ロックピースとの嵌合箇所に対向して配され、前記電気転てつ機に取付可能に構成された外箱部と、該外箱部の内部に配され、前記嵌合箇所を映し出すための鏡面部と、前記外箱部の上面に形成され、前記鏡面部を介して前記嵌合箇所を視認可能に構成された確認窓部と、前記外箱部の内部に配され、前記鏡面部を照射可能に構成された照明装置と、を備えたことを特徴としている。
【０００８】
請求項２に記載した発明は、前記照明装置が点灯したときに音が鳴る音源部を備えたことを特徴としている。
【発明の効果】
【０００９】
請求項１に記載した発明によれば、確認窓部を外箱部の上面に設け、確認窓部を介してロック状態を確認することができるため、検査者が無理な姿勢になることなく、容易にロック状態を視認することができる。また、鏡面部を外箱部内に収容したため、鏡面部が割れてロック状態を検査できなくなるという不具合を解消することができる。また、鏡面部を外箱部内に収容することで、鏡面部に塵埃が付着することを抑制することが可能となる。したがって、ロック状態を確実に視認することが可能となる。さらに、鏡面部は外箱部内で固定して設置されているため、鏡面角度の調節をする必要がなく、ロック状態確認装置を電気転てつ機の適正箇所に取り付けるだけでロック状態を容易に視認することができる。そして、照明装置にて鏡面部を照射することにより、鏡面部で反射された光が外側に漏れることなくロック箇所に照射され、夜間でもロック箇所を鮮明に映し出すことができるとともに、鏡面部に映し出されたロック状態を確認窓部を介してカメラで撮影することにより、フラッシュを用いずに鮮明な写真を撮影することが可能になる。
【００１０】
請求項２に記載した発明によれば、照明装置の消し忘れを防止することができるとともに、夜間の検査時において置き忘れなどを防止することができる。
【発明を実施するための最良の形態】
【００１１】
次に、本発明の実施形態を図１〜図１２に基づいて説明する。
図１に示すように、電気転てつ機１０は、線路の分岐箇所に設けられている。電気転てつ機１０は、基本レール１１およびトングレール１２の側方に配されている。電気転てつ機１０から接続かん１３が延設され、接続かん１３はトングレール１２に接続されている。そして、接続かん１３がトングレール１２に対して略水平直角方向（図１の左右方向）に移動することにより、トングレール１２の位置が移動し、列車が所望の方向へ走行するようにコントロールしている。電気転てつ機１０は、略箱型形状の外箱部３１を備え、外箱部３１内に各種機構が収容されている（後に詳述する）。外箱部３１の側面３２には、点検蓋３３が設けられており、点検蓋３３を開けることにより外箱部３１内を視認できるようになっている。
【００１２】
図２に示すように、接続かん１３は、電気転てつ機１０内にて鎖錠かん１５に連接されている。つまり、鎖錠かん１５が移動することにより接続かん１３がそれに応じて移動するように構成されている。この鎖錠かん１５は、略棒状部材で形成されており、上下２本配されている。上側の鎖錠かん１５Ａと、下側の鎖錠かん１５Ｂとの間には隙間ｄが形成されている。また、上側の鎖錠かん１５Ａにおける下側の鎖錠かん１５Ｂとの対向面に切欠部１７が形成され、同様に、下側の鎖錠かん１５Ｂにおける上側の鎖錠かん１５Ａとの対向面に切欠部１８が形成されている。
【００１３】
図３に示すように、２本の鎖錠かん１５Ａ，１５Ｂに対して水平直角方向にロックピース２０が配設されている。ロックピース２０は２本配されており、水平面内で平行に配されている。ここで、鎖錠かん１５側から見たときの左側のロックピースを２０Ａ、右側のロックピースを２０Ｂとする。２本のロックピース２０Ａ，２０Ｂは断面四角形の棒状部材からなる外箱部２１をそれぞれ有している。外箱部２１の厚さは、隙間ｄよりも薄くなっており、２本の鎖錠かん１５Ａ，１５Ｂの隙間ｄ内を移動できるようになっている。
【００１４】
図４に示すように、ロックピース２０Ａの先端部には外箱部２１よりも下方に突出した鎖錠こま２２が形成されている。鎖錠こま２２が形成された部分の厚さｄ１は隙間ｄよりも厚くなっており、かつ、隙間ｄと切欠部１８との厚さの合計よりも薄く（略同一）なっている。また、ロックピース２０Ａ（鎖錠こま２２）の幅は切欠部１８の幅よりも約４ｍｍ小さい寸法で形成されている。
【００１５】
同様に、ロックピース２０Ｂの先端部には外箱部２１よりも上方に突出した鎖錠こま２３が形成されている。鎖錠こま２３が形成された部分の厚さｄ２は隙間ｄよりも厚くなっており、かつ、隙間ｄと切欠部１７との厚さの合計よりも薄く（略同一に）なっている。また、ロックピース２０Ｂ（鎖錠こま２３）の幅は切欠部１７の幅よりも約４ｍｍ小さい寸法で形成されている。
【００１６】
（電気転てつ機の動作）
次に、電気転てつ機の動作について簡単に説明する。以下の説明は、ポイントを定位から反位に転換するときの電気転てつ機の転換と鎖錠の動作手順を示す。
図３に示すように、ポイント定位では、右側のロックピース２０Ｂ（定位側のロックピース）が鎖錠かん１５Ａに鎖錠されている。つまり、ロックピース２０Ｂの鎖錠こま２３が鎖錠かん１５Ａの切欠部１７に嵌合した状態で保持されている。これにより、鎖錠かん１５Ａは鎖錠されて左右方向に移動できず、接続かん１３およびトングレール１２は定位で保持される。
【００１７】
図５に示すように、ポイントを転換するにあたって、まず、ロックピース２０Ｂを動かし、鎖錠こま２３が切欠部１７から突出した位置まで移動させる。この状態にすることで、鎖錠かん１５Ａが解錠され、左右方向に移動できる状態になる。
【００１８】
図６に示すように、ポイントを転換するために鎖錠かん１５を所望の方向へ移動させる。
【００１９】
図７に示すように、ポイントが転換され、鎖錠かん１５が反位の位置になったときに、鎖錠かん１５Ｂの切欠部１８がロックピース２０Ａの鎖錠こま２２の正面の位置に配された状態となっている。
【００２０】
図８に示すように、ロックピース２０Ａを移動して、鎖錠こま２２が鎖錠かん１５Ｂの切欠部１８に嵌合する位置で保持する。この状態にすることで、鎖錠かん１５Ｂが鎖錠されて左右方向に移動できず、トングレール１２は反位で保持される。
【００２１】
（ロック状態確認装置）
次に、ロック状態確認装置について図９〜図１２を用いて説明する。図９〜図１２に示すように、このロック状態確認装置５０は、鎖錠かん１５とロックピース２０とのロック状態が適正な状態で保持されているか否かを検査・確認するための装置である。つまり、ロックピース２０（鎖錠こま２２，２３）が鎖錠かん１５にロックされた状態で、ロックピース２０（鎖錠こま２２，２３）の側面と鎖錠かん１５の切欠部１７，１８の側面との距離が両側ともに約２ｍｍで保持されているか否か（切欠部１７，１８内でロックピース２０が水平方向にずれていないか）を検査するためのものである。
【００２２】
ロック状態確認装置５０は、電気転てつ機１０の側面３２（図１参照）に取付可能に構成された略箱型形状の外箱部５１と、外箱部５１の内部に配され、ロック状態を映し出すための鏡面部５２と、外箱部５１の上板５３に形成され、鏡面部５２を介してロック状態を視認可能に構成された確認窓部５４と、外箱部５１の内部に配され、鏡面部５２を照射可能に構成された照明装置５５と、照明装置５５のスイッチ５６と、照明装置５５が点灯したときに音が流れる音源部（不図示）とを備えている。
【００２３】
外箱部５１における電気転てつ機１０の側面３２に対応した側面５７には、開口部５８が形成されている。また、側面５７には、電気転てつ機１０の側面３２に形成された開口部に係止される係止部５９が形成されている。また、外箱部５１の上板５３には、電気転てつ機１０に設けられ、点検蓋３３を係止するための係止片を係止するための係止突片６０が設けられている。係止部５９および係止突片６０を設けることにより、外箱部５１を電気転てつ機１０に確実に支持固定することが可能となる。
【００２４】
鏡面部５２は、外箱部５１を電気転てつ機１０に取り付けた際に、確認窓部５４を介して略垂直上方から覗いたときにロック状態が視認できる角度に調節されて、外箱部５１内に固定されている。
【００２５】
確認窓部５４には、例えば透明のガラス板６１などが嵌め込まれており、鏡面部５２が視認可能になっている。
【００２６】
照明装置５５は、例えば高輝度ＬＥＤランプで構成されている。照明装置５５は、外箱部５１の上板５３の裏面６２に取り付けられており、鏡面部５２を照射可能に構成されている。照明装置５５は、鏡面部５２全面を略均等に照射するために、裏面６２の確認窓部５４の両側に平行に取り付けられている。
【００２７】
また、照明装置５５のスイッチ５６は、外箱部５１の側面６３に設けられており、夜間などロック状態を視認しづらいときに照明装置５５を点灯できるようになっている。また、このスイッチ５６で照明装置５５を点灯している間は、音源部より音が流れるように構成されている。この照明装置５５は、外箱部５１に内蔵した電池６５により点灯される。
【００２８】
このように構成されたロック状態確認装置５０を用いて、鎖錠かん１５とロックピース２０とのロック状態を検査するときの手順を説明する。
まず、電気転てつ機１０の鎖錠かん１５とロックピース２０とをロック状態に保持し、側面３２の点検蓋３３を開ける。
電気転てつ機１０の側面３２に、外箱部５１の側面５７を当接するようにして配置した後（このとき係止部５９を電気転てつ機１０の側面３２の開口部の周縁部に当接するように挿入する。）、係止突片６０に電気転てつ機１０の係止片を係止する。
この状態で、検査者が確認窓部５４を介して鏡面部５２に映し出されたロック状態を視認して検査を行う。なお、夜間などロック状態の視認が困難な場合は照明装置５５を点灯して検査を行う。また、ロック状態を写真撮影する際には、確認窓部５４にカメラのレンズを当接させた状態で撮影することで鮮明な写真を撮影することができる。なお、夜間においても照明装置５５を点灯していれば、カメラのフラッシュを使用することなく鮮明な写真を撮影することができる。
【００２９】
本実施形態によれば、確認窓部５４を外箱部５１の上板５３に設け、確認窓部５４を介してロック状態を確認することができるため、検査者が無理な姿勢になることなく、容易にロック状態を視認することができる。また、鏡面部５２を外箱部５１内に収容したため、鏡面部５２が割れてロック状態を検査できなくなるという不具合を解消することができる。また、鏡面部５２を外箱部５１内に収容することで、鏡面部５２に塵埃が付着することを抑制することが可能となる。したがって、ロック状態を確実に視認することが可能となる。結果として、ロック状態の確認検査の誤認を無くすことができる。
【００３０】
さらに、鏡面部５２は外箱部５１内で固定して設置されているため、鏡面角度の調節をする必要がなく、ロック状態確認装置を電気転てつ機１０の適正箇所に取り付けるだけでロック状態を容易に視認することができる。
【００３１】
そして、照明装置５５にて鏡面部５２を照射することにより、鏡面部５２で反射された光が外側に漏れることなくロック箇所に照射され、夜間でもロック箇所を鮮明に映し出すことができるとともに、鏡面部５２に映し出されたロック状態を確認窓部５４を介してカメラで撮影することにより、フラッシュを用いずに鮮明な写真を撮影することが可能になる。
【００３２】
また、照明装置５５を点灯すると音が流れる音源部を設けることにより、照明装置５５の消し忘れを防止することができるとともに、夜間の検査時において置き忘れなどを防止することができる。
【００３３】
尚、本発明は、上述した実施形態に限定されるものではなく、本発明の趣旨を逸脱しない範囲において、上述した実施形態に種々の変更を加えたものを含む。すなわち、実施形態で挙げた具体的な材料や構成等は一例にすぎず、適宜変更が可能である。
【図面の簡単な説明】
【００３４】
【図１】本発明の実施形態における電気転てつ機の概略構成図（平面図）である。
【図２】図１のＡ−Ａ線に沿う概略断面図である。
【図３】本発明の実施形態における鎖錠かんとロックピースとの概略構成図（定位の状態）である。
【図４】図３のＢ部拡大図（ロックピースのみ図示）である。
【図５】本発明の実施形態における鎖錠かんとロックピースとの概略構成図（定位を解錠した状態）である。
【図６】本発明の実施形態における鎖錠かんとロックピースとの概略構成図（ポイント転換中の状態）である。
【図７】本発明の実施形態における鎖錠かんとロックピースとの概略構成図（鎖錠かんが反位に移動した状態）である。
【図８】本発明の実施形態における鎖錠かんとロックピースとの概略構成図（鎖錠かんを反位で鎖錠した状態）である。
【図９】本発明の実施形態におけるロック状態確認装置の斜視図である。
【図１０】図９のＣ−Ｃ線に沿う断面図である。
【図１１】図９のＤ矢視図である。
【図１２】本発明の実施形態におけるロック状態確認装置の上面図（照明装置のみ透視図）である。
【符号の説明】
【００３５】
１０…電気転てつ機  １５（１５Ａ，１５Ｂ）…鎖錠かん  ２０（２０Ａ，２０Ｂ）…ロックピース  ５０…ロック状態確認装置  ５１…外箱部  ５２…鏡面部  ５３…上板（上面）  ５４…確認窓部  ５５…照明装置  
【図１】
2009298302.tif 000003
【図２】
2009298302.tif 000004
【図３】
2009298302.tif 000005
【図４】
2009298302.tif 000006
【図５】
2009298302.tif 000007
【図６】
2009298302.tif 000008
【図７】
2009298302.tif 000009
【図８】
2009298302.tif 000010
【図９】
2009298302.tif 000011
【図１０】
2009298302.tif 000012
【図１１】
2009298302.tif 000013
【図１２】
2009298302.tif 000014